(57)【要約】【課題】  入浴中の洗浄作業における利便性が高く、さらに、機能面及び衛生面にも全く問題なく、しかも、構造も簡素な洗剤混合式シャワー装置を提供すること。【解決手段】  先端にノズル11を備えたシャワーヘッド１と；当該シャワーヘッド１と水源とを繋ぐ送水管２と；異なる粘度の洗浄液Ｌ（Ｌ１・Ｌ２…）をそれぞれ収容可能な複数の収容槽３(３ａ・３ｂ…)と;当該収容槽３(３ａ・３ｂ…)の各々と前記送水管２とを連通する分岐管４・４…と；前記送水管２に内設されて、前記分岐管４・４…の接続位置よりシャワーヘッド１の方向へ流動する水流に流動抵抗を付与する抵抗体５とを含んで構成する一方、高粘度の洗浄液Ｌ１を収容する収容槽３の分岐管４を、低粘度の洗浄液Ｌ２を収容する収容槽３の分岐管４よりも水源に近い位置に配設した。【選択図】  図１
2007167481.tif 000002
【特許請求の範囲】
【請求項１】
先端にノズル11を備えたシャワーヘッド１と；当該シャワーヘッド１と水源とを繋ぐ送水管２と；異なる粘度の洗浄液Ｌ（Ｌ１・Ｌ２…）をそれぞれ収容可能な複数の収容槽３(３ａ・３ｂ…)と;当該収容槽３(３ａ・３ｂ…)の各々と前記送水管２とを連通する分岐管４・４…と；前記送水管２に内設されて、前記分岐管４・４…の接続位置よりシャワーヘッド１の方向へ流動する水流に流動抵抗を付与する抵抗体５とを含んで構成される一方、高粘度の洗浄液Ｌ１を収容する収容槽３の分岐管４は、低粘度の洗浄液Ｌ２を収容する収容槽３の分岐管４よりも水源に近い位置に配設したことを特徴とする洗液混合式シャワー装置。
【請求項２】
分岐管４が、送水管２を流動する水流によって発生する負圧によって分岐管４から導引される洗浄液Ｌの流量を調節可能な開閉部41を備えていることを特徴とする請求項１記載の洗液混合式シャワー装置。
【請求項３】
抵抗体５に、非伸縮性のスパイラル材を採用していることを特徴とする請求項１または２に記載の洗液混合式シャワー装置。
【請求項４】
抵抗体５に、洗浄液Ｌの付着が起こり難い潤滑質コーティングが施されていることを特徴とする請求項１〜３の何れか一つに記載の洗液混合式シャワー装置。
【請求項５】
抵抗体５が、送水管２に対して着脱自在に付設されていることを特徴とする請求項１〜４の何れか一つに記載の洗液混合式シャワー装置。
【請求項６】
送水管２、収容槽３（３ａ・３ｂ…）、及び分岐管４・４…が、分解組立可能なセパレート構造に構成されていることを特徴とする請求項１〜５の何れか一つに記載の洗液混合式シャワー装置。
【発明の詳細な説明】
【技術分野】
【０００１】
本発明は、シャワー装置の改良、詳しくは、入浴における洗浄作業に便利で、頭髪や身体を満遍なく洗うことができ、しかも、シャワーヘッドの詰まりや故障も少ない洗液混合式シャワー装置に関するものである。
【背景技術】
【０００２】
周知のとおり、入浴時には、ボディソープやシャンプー等の洗浄液を用いて身体や頭髪の洗浄を行う。そして、このような身体や頭髪の洗浄に際しては、洗浄液を一旦浴用ブラシや手に付着させてから洗浄を始めるのが普通である。
【０００３】
そして、このような洗浄液を取り出すための手順を省略するために、シャワーに湯水を供給する送水管に、洗浄液の収容器及びこの洗浄液を送水管へと流入させる分岐管を配設して、洗浄液を混入した混合水を身体や頭髪に直接浴びることを可能にしたシャワー装置が従来において提案された（例えば、特許文献１参照）。
【０００４】
しかしながら、上記の従来シャワー装置は、送水管を流れる給水と導引した洗浄液とが合流した際に、洗浄液を強制的に水中に分散させる手段がなかったことから、高粘性の洗浄液に関しては、送水管内で充分に分散できずに高濃度の液状体のままシャワーヘッド内に流入してしまうことが多かった。
【０００５】
そして、この液状体がシャワーヘッドのノズルに詰まって、シャワーの出水を阻害したり、液状体がシャワーヘッド内に強固に付着してシャワーヘッドを汚損したりする等、上記の従来シャワー装置には機能面及び衛生面において問題があった。
【０００６】
また、従来においては、加圧ポンプを用いることにより送水管内またはシャワーヘッド内を流れる給水に対し洗浄液を勢いよく噴出させて洗浄液の分散作用を高めた技術も公知となっているが、加圧ポンプを使用することでシャワー装置全体の構造が複雑化してしまい、それによって、製造コストが大幅に増加するだけでなく、故障時の取扱いが使用者にとって非常に面倒なものとなった（例えば、特許文献２参照）。
【特許文献１】特開平２−５０２９５公報（第２−９頁、第１図）
【特許文献２】特開平６−６２９７２公報（第２−７頁、第１−７図）
【発明の開示】
【発明が解決しようとする課題】
【０００７】
本発明は、上記の如き問題に鑑みて為されたものであり、その目的とするところは、入浴中の洗浄作業における利便性が高く、さらに、機能面及び衛生面にも全く問題なく、しかも、構造も簡素な洗剤混合式シャワー装置を提供することにある。
【課題を解決するための手段】
【０００８】
本発明者が、上記課題を解決するために採用した手段を添付図面を参照して説明すれば次のとおりである。
【０００９】
即ち、本発明は、先端にノズル11を備えたシャワーヘッド１と；当該シャワーヘッド１と水源とを繋ぐ送水管２と；異なる粘度の洗浄液Ｌ（Ｌ１・Ｌ２…）をそれぞれ収容可能な複数の収容槽３(３ａ・３ｂ…)と;当該収容槽３(３ａ・３ｂ…)の各々と前記送水管２とを連通する分岐管４・４…と；前記送水管２に内設されて、前記分岐管４・４…の接続位置よりシャワーヘッド１の方向へ流動する水流に流動抵抗を付与する抵抗体５とを含んで構成する一方、高粘度の洗浄液Ｌ１を収容する収容槽３の分岐管４を、低粘度の洗浄液Ｌ２を収容する収容槽３の分岐管４よりも水源に近い位置に配設した点に特徴がある。
【００１０】
また、本発明においては、上記課題を解決するために、必要に応じて上記手段に加え、送水管２を流動する水流によって発生する負圧により分岐管４から導引される洗浄液Ｌの流量を調節することが可能な開閉部41を分岐管４に設けるという技術的手段を採用することができる。
【００１１】
また、本発明においては、上記課題を解決するために、必要に応じて上記手段に加え、抵抗体５に、非伸縮性のスパイラル材を採用するという技術的手段を採用することができる。
【００１２】
また、本発明においては、上記課題を解決するために、必要に応じて上記手段に加え、抵抗体５に、洗浄液の付着が起こり難い潤滑質コーティングを施すという技術的手段を採用することができる。
【００１３】
また、本発明においては、上記課題を解決するために、必要に応じて上記手段に加え、送水管２に対して抵抗体５を着脱自在に付設するという技術的手段を採用することができる。
【００１４】
また、本発明においては、上記課題を解決するために、必要に応じて上記手段に加え、送水管２、収容槽３（３ａ・３ｂ…）、及び分岐管４・４…を分解組立可能なセパレート構造に作製するという技術的手段を採用することができる。
【発明の効果】
【００１５】
本発明では、シャワーヘッドと水源とを繋ぐ送水管の内部に、収容槽と連通した分岐管を接続した位置よりシャワーヘッドの方向へ流動する水流に流動抵抗を付与する抵抗体を設けたことから、抵抗体によって送水管を流れる水流に攪乱流を発生させることができ、さらに、この攪乱流によって給水と洗浄液とが攪拌されて洗浄液の分散性を飛躍的に高めることが可能となる。
【００１６】
さらに、高粘度の洗浄液を収容する収容槽の分岐管を、低粘度の洗浄液を収容する収容槽の分岐管よりも水源に近い位置に配設したことにより、高粘度の洗浄液に関しては低粘度のものよりも長く攪拌を行うことができるため、使用する洗浄液の粘度の大きさに合わせた分散効果を適宜得ることができる。
【００１７】
そして、これによって、高粘度の洗浄液でも給水中に略均一に分散させることが可能となることから、洗浄液が高濃度の液状体のままシャワーヘッド内に流入することはなく、シャワーの出水に悪影響を及ぼすこともないため、シャワーの使用に不快感を感じるようなことはない。
【００１８】
加えて、高濃度の液状体になった洗浄液が、シャワーヘッド内に強固に付着する問題も解消できるため、衛生面においても安心してシャワーを使用することができる。
【００１９】
また、上記の給水と洗浄液とを攪拌する構造は、抵抗体を送水管内に設けた簡素な構造であるため、故障時の修理は容易で、製造コストが大幅に増加することもない。
【００２０】
したがって、本発明により、入浴中における頭髪や身体の洗浄が簡単に行え、さらに、機能面や衛生面に関して不安を全く感じることのない安心感の高いシャワー装置を提供することができるため、本発明の実用的利用価値は頗る高い。
【発明を実施するための最良の形態】
【００２１】
『第１実施形態』
まず、本発明の第１実施形態について、図１から図２に基いて説明する。まず、符号１で指示するものはシャワーヘッドである。そして、符号２で指示するものは、送水管であり、符号３で指示するものは、収容槽である。次に、符号４で指示するものは、分岐管であり、符号５で指示するものは、強靱で耐熱性にも優れた金属製の抵抗体である。
【００２２】
しかして、本実施形態の構成を以下に説明する。まず、本実施形態では、先端にノズル11を備えたシャワーヘッド２に対して水源とを繋ぐホース管21を含んだ送水管２を配設することにより、送水管２の開閉器21を操作することで、送水管２を通してシャワーヘッド１のノズル11から湯水を射出できるように構成した（図１、図２参照）。
【００２３】
さらに、異なる粘度の洗浄液Ｌ１・Ｌ２を収容可能な空間を内部に有した収容槽３ａ・３ｂを作製した。そして、これらの収容槽３ａ・３ｂそれぞれの底面とパイプ材である分岐管４の一端とを接続し、さらに、分岐管４のもう一方の端には送水管２を接続して収容槽３内部と送水管２とを連通させた。
【００２４】
これにより、送水管２内を流動する水流によって生じた負圧を利用して収容槽３内の洗浄液Ｌを送水管２内に導引することができるため、給水と洗浄液Ｌとの混合水をシャワーヘッド１のノズル11から射出することが可能となる。
【００２５】
なお、分岐管４の途中には、逆止弁を用いた開閉部41を形成して、分岐管４の内部を流れる洗浄液Ｌの流量を調節できるようにしている。
【００２６】
加えて、収容槽３は、脱着自在に被せる上蓋31を有した構造とすることにより、洗浄液Ｌの追加を容易にし、さらに、この上蓋31に空気吸入孔32を穿設することによって、収容槽３の内圧を一定に保っている。
【００２７】
そして、収容槽３に関しては、洗浄液Ｌが分岐管４に流れ込み易いように底面を漏斗状に形成することが好ましい。
【００２８】
さらに、本実施形態では、送水管２と分岐管４との接続において、高粘度の洗浄液Ｌ１を収容する収容槽３ａの分岐管４を、低粘度の洗浄液Ｌ２を収容した収容槽３ｂの分岐管４よりも水源に近い位置に配設した。
【００２９】
詳しくは、長さの異なる分岐管４・４を、両方の収容槽３ａ・３ｂの高さが一致するように送水管２に対して接続した。これにより、収容槽の３ａ・３ｂが横に並んだ状態となるため、洗浄水Ｌ１・Ｌ２の投入をより簡単に行うことができる。
【００３０】
さらに、長い分岐管４の収容槽３ａに貯留された高粘度の洗浄液Ｌ１は、短い分岐管３ｂの収容槽３ｂに貯留された低粘度の洗浄液Ｌ２よりも、内在する位置エネルギーが大きくなるため、洗浄液Ｌが自重によって送水管２に押し出される力をより強めることができる。そのため、高粘度の洗浄液Ｌ１であっても、低粘度の洗浄液Ｌ２と同様に、給水内にスムーズに混入させることができる。
【００３１】
また、本実施形態では、送水管２の内部に、分岐管４・４…の接続位置よりシャワーヘッド１の方向へ流動する水流に流動抵抗を付与する抵抗体５を設けた。
【００３２】
上記のように構成したことから、付設した抵抗体５によって送水管２内の水流に攪乱流を生じさせることができ、さらに、この攪乱流を利用して給水と洗浄液Ｌとを攪拌することが可能となる。また、高粘度の洗浄液Ｌ１に関しては、低粘度の洗浄液Ｌ２よりも長く攪拌することができるため、使用する洗浄液Ｌの粘度に応じた分散効果を適宜得ることができる。
【００３３】
そして、これによって、シャワーヘッド１内に高粘度の洗浄液が詰まることはなく、シャワーヘッド１内に洗浄液が強固に付着するようなこともないため、シャワーの使用に関して不快な思いをすることはなく衛生面の不安も払拭することができる。
【００３４】
加えて、洗浄液を攪拌するための構造は、送水管２内に抵抗体５を設けた簡素な構造であるため、故障時の修理が容易で、製造コストを抑えることもできる。
【００３５】
また、本実施形態においては、抵抗体５に、送水管２内の水流に対し連続して流動抵抗を付与することができる非伸縮性のスパイラル材を用いた。
【００３６】
そして、抵抗体５のスパイラル材には、ガラス素材の潤滑質コーティングを施して洗浄液Ｌの付着を防ぎ、送水管２内の衛生状態を保持できるようにしている。
【００３７】
加えて、分岐管４・４より水源側で、送水管２の内壁に凸部12を形成し、この凸部12上に抵抗体５を載置することによって、抵抗体５を送水管２に対し着脱自在に配設した。これにより、抵抗体５の洗浄及び付替えを容易に行うことができる。
【００３８】
『第２実施形態』
次に、本発明の第２実施形態を図３及び図４に基いて説明する。まず、符号６で指示するものは、連結部材である。本実施形態では、抵抗体５に、周囲に複数の突起体51・51…が配設された棒体を採用して水流に対し断続的に流動抵抗を付与できるようにした。
【００３９】
そして、本実施形態においては、送水管２と各収容槽３（３ａ・３ｂ…）、そして分岐管４・４…を連結部材６により接続して、分解組立可能な構造に作製した。これにより、装置を分解することで、各部材をコンパクト化することができるため、運搬上、非常に都合が良い。
【００４０】
さらに、収容槽３には、市販の洗液容器を用いて、この洗液容器の上口を分岐管４に形成した固定部42に連結することによって、使用する洗浄液Ｌの選択を容易に行えるように構成した。そして、市販の洗浄液容器を使用する際には、錐等で空気吸入孔32を穿設するのが好ましい。
【００４１】
『第３実施形態』
次に、本発明の第３実施形態を図５に基いて説明する。本実施形態においては、箱体に仕切りを設けて３つの収容槽３（３ａ・３ｂ・３ｃ）を作出した。これにより、一つの上蓋31を着脱するだけで洗浄液Ｌの充填作業を容易に行うことができる（図５参照）。
【００４２】
また、本実施形態では、透明性を有した材料で収容槽３を作製したことにより、一見して洗浄液量Ｌの確認を行えるようにした。
【００４３】
本発明は、概ね上記のように構成されるが、図示の実施形態に限定されるものでは決してなく、「特許請求の範囲」の記載内において種々の変更が可能であって、例えば、収容槽３の取付け数は実施形態に２個や３個に限らず、使用する洗浄液Ｌの種数に応じて多数配設してもよい。ちなみに、本発明においては、収容槽３への収容物に洗浄液Ｌだけでなく、リンスやトリートメント、入浴剤等を採用することもできる。
【００４４】
また、図６に示すように、同じ長さの分岐管４・４を用いて、収容槽３ａ・３ｂ自体を段違いの高さで配設することにより、高粘度の洗浄液Ｌ１を入れる収容槽３ａがどれか一見して判別できるように構成してもよい。
【００４５】
さらに、収容槽３の上蓋31にキャップ体を使用し、このキャップ体を収容槽３の狭窄した開口部に螺着できるように構成することによって、上蓋31の取外しの容易化、及び上蓋31の外れ防止を図ってもよい。
【００４６】
そしてまた、抵抗体は、送水管３を流動する水流に流動抵抗を付与できればどんな形状でもよく、さらに、抵抗体５の材料は、使用に耐え得る強靱性と耐熱性を有していれば、合成樹脂材やガラス材でもよく何れも本発明の技術的範囲に属する。
【産業上の利用可能性】
【００４７】
ストレスの多い現代社会においては、風呂は重要なリラックス空間の一つといえる。ところが、このリラックス空間の観点から鑑みるに、従来の頭髪及び身体の洗浄方法におけるボディソープやシャンプーを一旦手やブラシにとらなければならない手間や、自分が使用するシャンプーやリンスを探さなければならない手間は、入浴者に煩わしさを感じさせるものであった。
【００４８】
そのような中で、本発明の洗液混合式シャワー装置は、入浴時において入浴者のストレスになり得る洗髪及び身体の洗浄作業を簡略化できる利便性の高い技術であり、同時に、機能面や衛生面の向上も実現できる優れた技術であることから、市場における需要は極めて大きく、本発明の産業上の利用価値は非常に高いと云える。
【図面の簡単な説明】
【００４９】
【図１】本発明の第１実施形態におけるシャワー装置を表わす部分斜視図である。
【図２】本発明の第１実施形態におけるシャワー装置の内部を表わす説明断面図である。
【図３】本発明の第２実施形態におけるシャワー装置の内部を表わす説明断面図である。
【図４】本発明の第２実施形態におけるシャワー装置の抵抗体を表わす全体斜視図である。
【図５】本発明の第３実施形態におけるシャワー装置の収容槽及び分岐管を表わす部分斜視図である。
【図６】本発明の変形例におけるシャワー装置の収容槽及び分岐管を表わす部分斜視図である。
【符号の説明】
【００５０】
１  シャワーヘッド
11  ノズル
12  凸部
２  送水管
21  開閉器
22  ホース管
３  収容槽
31  上蓋
32  空気吸入孔
４  分岐管
41  開閉部
42  固定部
５  抵抗体
51  突起体
６  連結部材
Ｌ  洗浄液
【図１】
2007167481.tif 000003
【図２】
2007167481.tif 000004
【図３】
2007167481.tif 000005
【図４】
2007167481.tif 000006
【図５】
2007167481.tif 000007
【図６】
2007167481.tif 000008